(57)【特許請求の範囲】
【請求項１】
火災の発生を受信したときに、火災の発生箇所を各階ごとに具備する地図画面を選択的に表示することにより示すよう構成した表示装置を具備する自動火災報知装置であって、前記複数の地図画面を、メイン画面とサブ画面とに分けて同時に表示するよう構成し、サブ画面の表示操作によりメイン画面と同一階の画面をサブ画面に表示するとともに、サブ画面として表示した画面を選択するとともに、直上階または直下階を示すキーを選択操作することにより、前記サブ画面の階に対する直上階または直下階の地図画面をサブ画面に切り替え表示してなることを特徴とする自動火災報知装置。
【請求項２】
火災の発生を受信したときに、火災の発生箇所を各階ごとに具備する地図画面を選択的に表示することにより示すよう構成した表示装置を具備する自動火災報知装置であって、前記複数の地図画面を、メイン画面とサブ画面とに分けて同時に表示するよう構成し、サブ画面の表示操作によりメイン画面と同一階の画面をサブ画面に表示するとともに、メイン画面として表示した画面を選択するとともに、直上階または直下階を示すキーを選択操作することにより、前記メイン画面の階に対する直上階または直下階の地図画面をメイン画面に表示してなることを特徴とする自動火災報知装置。
【発明の詳細な説明】
【０００１】
【発明の属する技術分野】
本発明は、地図画面の表示装置を具備する自動火災報知装置に関する。
【０００２】
【従来の技術】
従来、地図画面の表示装置を具備する自動火災報知装置においては、各階ごとに建物の断面の地図画面を備え、火災の発生を自動火災報知装置において受信したときには、当該火災発生箇所の地図画面を表示して、火災の発生箇所を表示するようにしている。その際、図３に示すように、特定の階の地図画面Ｘを表示するメイン画面１だけの表示からサブ画面２をともなう画面に切り替え、特定の例えば１階の地図画面Ａをサブ画面２に表示するようにし、その後、メイン画面１，サブ画面２ともに、任意の地図画面Ｎに移動することができるようになっている。
【０００３】
【発明が解決しようとする課題】
しかし、実際に火災が発生している状況においては、火災の発生階を表示した後、延焼しやすい直上階や、火災の状況を確認し避難誘導を行うべき直下階の状態を、速やかに確認する必要があるが、上記従来例では、直ちに表示中の階に対する直上階または直下階の地図画面を表示することはできなかった。
【０００４】
本発明は上記の問題点を解決するためになされたものであり、その目的とするところは、直上階または直下階の地図画面を少ない操作で表示可能な表示装置を具備する自動火災報知装置を提供することにある。
【０００５】
【課題を解決するための手段】
前記の課題を解決するために、請求項１記載の発明では、火災の発生を受信したときに、火災の発生箇所を各階ごとに具備する地図画面を選択的に表示することにより示すよう構成した表示装置を具備する自動火災報知装置であって、前記複数の地図画面を、メイン画面とサブ画面とに分けて同時に表示するよう構成し、サブ画面の表示操作によりメイン画面と同一階の画面をサブ画面に表示するとともに、サブ画面として表示した画面を選択するとともに、直上階または直下階を示すキーを選択操作することにより、前記サブ画面の階に対する直上階または直下階の地図画面をサブ画面に切り替え表示する。
【０００６】
請求項２記載の発明では、火災の発生を受信したときに、火災の発生箇所を各階ごとに具備する地図画面を選択的に表示することにより示すよう構成した表示装置を具備する自動火災報知装置であって、前記複数の地図画面を、メイン画面とサブ画面とに分けて同時に表示するよう構成し、サブ画面の表示操作によりメイン画面と同一階の画面をサブ画面に表示するとともに、メイン画面として表示した画面を選択するとともに、直上階または直下階を示すキーを選択操作することにより、前記メイン画面の階に対する直上階または直下階の地図画面をメイン画面に表示する。
【０００９】
【発明の実施の形態】
本発明の一実施の形態を図１及び図２に基づいて説明する。図１は本発明にかかる自動火災報知装置の表示装置の地図画面の構成例を示す図、図２は同上の表示装置の操作方法及び表示画面を示す図である。
【００１０】
図１において、自動火災報知装置の表示装置の表示画面は、メイン画面１を有し、かつそのメイン画面１の下部にマウス等でクリックすることにより画面を選択操作し得る操作キー３１  ，…３ｎ  が設けてある。メイン画面１に表示される地図画面は、建物の各階に１枚程度作成され、建物の断面形状とともに警戒区域を表示し、更に警戒区域内に火災感知器や防排煙機器のシンボルマークを表示するものである。
【００１１】
一方、操作キー３１  ，…３ｎ  は、画面の左側より、「画面消去」，「凡例」，「地図一覧」，「特殊一覧」，「警報履歴」，「画面戻す」，「画面送る」，「画面拡大」，「画面縮小」，「予備」，「サブ画面」，「画面切替」，「警報停止」，「システム」，「直上階」，「直下階」の各キーを有する。
【００１２】
上記のうち、「サブ画面」キーは、図２に示すように表示画面においてメイン画面１，サブ画面２のように、画面を分割して複数の画面を表示させる場合に使用する。
【００１３】
また、「画面切替」キーは、メイン画面１とサブ画面２との表示内容（階）を相互に交換する場合に使用する。
【００１４】
更に、「直上階」及び「直下階」の各操作キーは、この操作をする前にマウス等により画面をクリックすることにより、制御が可能な画面（例えば、メイン画面１，サブ画面２のいずれか）が選択された後に、操作をするキーである。現在当該制御が可能な画面に表示している階の地図画面の直上階または直下階を表示したい場合に「直上階」または「直下階」の操作キーを使用し画面を制御して表示を切り替える。
【００１５】
次に、図２に基づいて、地図画面の切り替え操作と表示画面を説明する。例えば、自動火災報知装置において火災を受信し、表示画面に１階の地図画面が表示されている場合には、操作キー３１  ，…３ｎ  のうち、「サブ画面」キーを操作する。するとサブ画面２にメイン画面１と同じ階の地図画面が表示される。
【００１６】
そしてサブ画面２を、マウスのクリック等により選択して制御が可能なようにし、「直上階」キーをクリックすると、サブ画面２は、サブ画面に今まで表示していた「１階」の「直上階」である「２階」の地図画面に切り替わるのである。もちろん「直下階」キーを操作すれば、「地下１階」の地図画面に切り替わる。
【００１７】
一方、サブ画面２にメイン画面１と同じ階の地図画面が表示される状態（両方共１階画面表示）において、メイン画面１をマウスのクリック等により選択した後、「直上階」キーをクリックすると、メイン画面１が、メイン画面１に今まで表示していた「１階」の「直上階」である「２階」の地図画面に切り替わるのである。もちろん「直下階」キーを操作すれば、「地下１階」の地図画面に切り替わる。
【００１８】
次に、選択した２画面（メイン画面１とサブ画面２）の表示内容（階）を相互に切り替える操作について、説明する。「画面切替」キーを操作すると、メイン画面１の表示階と、サブ画面２の表示階が相互に入れ替わって表示される。２つの地図画面のうち、大きく表示して見やすくしたい場合に使用する。
【００１９】
尚、特定の階の地図画面がメイン画面１に表示されている場合に、「サブ画面」キーの操作をせずに、「直上階」または「直下階」を示す操作キーを選択操作することにより、前記メイン画面１の特定の階の地図画面をメイン画面１にそのまま表示し、前記特定の階の直上階または直下階をサブ画面２に表示するよう構成してもよい。
【００２０】
【発明の効果】
請求項１記載の発明によれば、複数の地図画面を、メイン画面とサブ画面とに分けて同時に表示するよう構成し、サブ画面の表示操作によりメイン画面と同一階の画面をサブ画面に表示するとともに、サブ画面として表示した画面を選択するとともに、直上階または直下階を示すキーを選択操作することにより、前記サブ画面の階に対する直上階または直下階の地図画面をサブ画面に切り替え表示するので、少ない操作で直上階または直下階の地図画面表示することができるという効果を奏する。
【００２１】
請求項２記載の発明によれば、複数の地図画面を、メイン画面とサブ画面とに分けて同時に表示するよう構成し、サブ画面の表示操作によりメイン画面と同一階の画面をサブ画面に表示するとともに、メイン画面として表示した画面を選択するとともに、直上階または直下階を示すキーを選択操作することにより、前記メイン画面の階に対する直上階または直下階の地図画面をメイン画面に表示するので、少ない操作で直上階または直下階の地図画面表示することができるという効果を奏する。
【図面の簡単な説明】
【図１】本発明にかかる自動火災報知装置の表示装置の地図画面の構成図である。
【図２】同上の表示装置の操作方法及び表示画面を示す図である。
【図３】従来例の表示装置の表示画面の例である。
【符号の説明】
１            メイン画面
２            サブ画面
３１  ，…３ｎ    操作キー
【図１】
0003632404.tif 000002
【図２】
0003632404.tif 000003
【図３】
0003632404.tif 000004